(57)【特許請求の範囲】
【請求項１】
袋体の先端部に各指が挿入可能な指部２と、幅広い手の平部５とを連設してなる柔軟性素材からなる汚物処理用手袋であって、
前記指部２同士の間に、各指挿入部付け根部３から上部へ延設する水掻き部ａを設け、
当該水掻き部ａの外縁８を前記各指部２の指先端部４の位置、又は当該指先端部４の位置より更に外側に位置させており、
前記幅広い手の平部５は、前記指部２の親指部と小指部の指先端部４より更に横外方に張り出しており、かつ手の平挿入口部６まで延設された張り出部ｂを備えており、当該張り出部ｂと、これに隣接する指部２との間にも、水掻き部ａが設けられており、
前記袋体の手の平挿入口部６近傍で、かつ前記袋体の内側に、一対の曲線状持ち手ｃが設けられており、
当該一対の曲線状持ち手ｃを用いて前記袋体を裏返すことができ、袋体を裏返した上で当該一対の曲線状持ち手ｃを互いに結び合わることで手の平挿入口部６を閉塞できる汚物処理用手袋。
【発明の詳細な説明】
【技術分野】
【０００１】
本発明は、ペット等、犬の排便の処理を能率的で容易に行え、清潔に廃棄できるようにした汚物処理用手袋に関するものである。
【背景技術】
【０００２】
従来のペット等、犬の散歩途中の排便を処理するための用具等種々提案されている中、最も手軽に広く一般に利用されているのは、小型スコップやペーパー紙類やビニール袋類等で排便の処理をしている。処理に際しては、ビニール袋等類を手に着手して排便を掴み、裏返し収容している。
【０００３】
しかしながら、ビニール袋類等は、指先を挿入する部分がないので動きが困難であり、排便を掴んだり、裏返しが面倒でまた、開口部を閉塞しにくいという問題がある。
【０００４】
このため、汚物等の排便を掴み易く、又袋類等を裏返し易いようにするため、例えば特許文献１や特許文献２に示すような、汚物処理用手袋が提案されている。このうち特許文献１に示されたものは、手挿入のための開口部の周囲の長さが手の甲に当たる部分の周囲の長さより大で、汚物を掴んだまま、開口部から裏返しながら剥ぎ取ることが可能な手袋である。又、特許文献２に示されたものは、袋体の開口部に一対の結束片を延設し、結束片を持って裏返し結束片を互いに結び合わせ汚物を処理できる使い捨て手袋。
【特許文献１】特開２０００−６４１０８号公報
【特許文献２】特開２００４−２２５２２５号公報
【発明の開示】
【発明が解決しようとする課題】
【０００５】
以上に述べた従来の手袋では、各指挿入部の指先端から指の付根までで、汚物等のかき集めが面倒で、掴んだ汚物が持ち辛い、なお袋体の手の平部、手首辺り部が幅狭く裏返しが困難で、掴んだ排便が軟便時は指の隙間から落ちる可能性が大である。又、開口部全体を束ねて結んだり、止めたり、左右の結束片には、輪の持ち手等がなくて、手間や時間がかかり互いに結び合わせるのも極めて面倒であり閉塞後、提げ手等がなくそのまま持ち歩くには不便で見栄えも悪いものであった。
【０００６】
本発明はこのような従来の問題を解決しようとするものであり、排便の処理を能率的で容易に行えると共に、排便を収容した袋の手の平挿入口部を簡単かつ確実に閉塞し、なお収容保持し、見栄えもよく手に提げられ持ち運び易く、又、衛生的に処理できるようにしたものである。
【課題を解決するための手段】
【０００７】
そして、本発明は上記目的を達成するために、袋体の先端部に各指が挿入可能な指部２と、幅広い手の平部５とを連設してなる柔軟性素材からなる汚物処理用手袋であって、前記指部２同士の間に、各指挿入部付け根部３から上部へ延設する水掻き部ａを設け、当該水掻き部ａの外縁８を前記各指部２の指先端部４の位置、又は当該指先端部４の位置より更に外側に位置させており、前記幅広い手の平部５は、前記指部２の親指部と小指部の指先端部４より更に横外方に張り出しており、かつ手の平挿入口部６まで延設された張り出部ｂを備えており、当該張り出部ｂと、これに隣接する指部２との間にも、水掻き部ａが設けられており、前記袋体の手の平挿入口部６近傍で、かつ前記袋体の内側に、一対の曲線状持ち手ｃが設けられており、当該一対の曲線状持ち手ｃを用いて前記袋体を裏返すことができ、袋体を裏返した上で当該一対の曲線状持ち手ｃを互いに結び合わることで手の平挿入口部６を閉塞できる汚物処理用手袋であることを最大の特徴としている。
【０００９】
又、前記袋体の指部は、柔軟性素材を二枚重ねて裁断され、指が挿入可能な前記指部の周縁部を加熱溶着して型押し部を設け、曲線状部把持用を備え付けて周縁部を加熱溶着して形成するとよい。
【００１０】
又、前記柔軟性素材にエンボス加工され、抗菌性又は殺菌性を付与すると共に、着色又は模様等を設けることで衛生的で見栄えもよく手に提げられ持ち運びができ好適である。
【００１１】
本発明による解決手段による作用は次の通りである。すなわち、汚物処理用手袋は、手の挿入口部から手を入れて装着することで、排便等が指の隙間から落ちない、水掻き部略円形指部に各指が入り拘束されず指を自由に動かして排便等をかき集め易く、掴み幅広い手の平部に確実に収容すると共に、袋体の手の平挿入口部近傍の中部に設けた、曲線状部把持用を掴み持ち引っ張ると指部が固定され又、持ち手部となり結び止めもでき曲線状持ち手を用いて裏返すことができる。その上で曲線状持ち手を互いに結び合わせれば、簡単に手の平挿入口部を閉塞できる。これにより、手を汚すことなく衛生的に排便等の処理を能率的で容易に行える。閉塞後はそのまま曲線状持ち手部を持って手に提げられ持ち運びができ清潔に廃棄できる汚物処理用手袋である。
【発明の効果】
【００１２】
上述したように、本発明に係る汚物処理用手袋は、指部と共に手の平部を幅広く設けているので、各指挿入部付け根部から上部へ延設する、指部と指部の間に張られた膜水掻き部を設け、水掻き部膜の外縁を各指部の指先端部より更に、外側に位置させて構成し、袋体にエンボス加工を有しているので指の着脱がスムーズに行える。なお幅広い手の平部は、親指と小指部の指先端より更に、横外方に張り出した張り出部を連設する、所定長さの幅を手の平挿入口部まで延設したものであるから、手首辺りにも余裕幅部があり汚物収納作業を円滑に行なえ、所定長さの幅が長い程袋体のサイズも大きくなり、幅広いので収納袋又はゴミ袋等としても使用でき又、指部は水掻き部略円形膜で各指部外周辺を囲み全体に手の指平面が設けられ収容面がより、幅広くなり汚物がかき集め易く又、掴んだ汚物が持ち易く指の隙間から落ちない特に親指と人差し指の間等、なお横外方に張り出した張り出部と隣接する指部との間にも水掻き部膜を設けたのでなお、横側からも落ちない利点がある。これにより、ペット等、犬の排便、排泄物で汚れた紙おむつ、その他の汚物に直接手を触れることなく指先の感覚を損なわず、細かな作業にも簡単器用に汚物を掴むことができ又、手の平部に確実に収容し処理作業が容易に行える。なお柔軟性素材に抗菌性又は殺菌性を付与すると共に着色又は模様等を設けることで汚物が外部から見えることはなく、散歩中に周囲の人目を気にする必要がない。又、衛生的で他人に不快感を与えることなく見掛けの良い手袋とすることができる。
【００１３】
又、袋体の手の平挿入口部近傍には、一対の曲線状部把持用の掴み、持ち、握り易く曲線状に形成して、結び閉塞持ち手、提げ手等として設けたものであるから、袋体を容易に曲線状持ち手を用いて裏返すことが可能であると共に、汚物を収容した袋体の手の平挿入口部を簡単かつ確実に結び閉塞することが可能となったものである。曲線状の長さが長い程より結び易く又、曲線状持ち手を袋体の中部に備え付け引っ張ることで、親指と小指が引っ張られて袋体全体が絞まり指部も固定され、特に指先端より更に横外方の張り出した張り出部と隣接する、指部との間に張られた水掻き部膜があるので、グローブ形状ふうに袋体の外廻りが丸みを帯びた枠状態になるのでなお、汚物等が受け取り易く横側からも落ちることなく処理作業が容易に行える特有の効果がある。そのため、汚物を拾い上げた後の始末が容易で汚物に直接手を触れることなく、簡単に裏返しができる。又、手間や時間がかからなく汚物の処理が行え、収容保持ができ衛生的で見栄えもよく手に提げられそのまま持ち運びができ、清潔に廃棄できる利点のある好適な本発明を提供できる。
【発明を実施するための最良の形態】
【００１４】
以下、本発明の実施の形態を図１〜図２に基づいて説明する。
【００１５】
図においては、１は柔軟性素材からなる袋体であって、その先端に各指部２に対応する指挿入部付け根部３から上部へ延設する、指部２と指部２の間に水掻き部膜ａを設けているので、指の隙間から落ちない。なお水掻き部膜ａの外縁を各指部２の指先端部４の位置より更に、外側に位置させ設けているので汚物をかき集め易く又、横外方に張り出した張り出ｂと、隣接する指部２との間にも水掻き部膜ａを設け略円形型で横側からも落ちない。袋体１の幅広い手の平部５に収容し易く親指部２と小指部２との指先端部４より更に、横外方に張り出した張り出部ｂを連設する所定長さの幅を手の平挿入口部６まで延設しているので幅広くなり、手首辺りにも余裕幅があり汚物収納作業が円滑に行なえる。又、袋体１の手の平挿入口部６近傍には、一対の曲線状部ｃ把持用が備え付けられ、袋体１の内側に曲線状部持ち手ｃが有る事で、持ち手部の中央部は曲線状になっており掴み、持ち、握り、引っ張り易くなお、引っ張り持つ事で、親指と小指が引っ張られて袋体1全体が絞まり易く指部２も固定され、なお隣接する指部２との間にも、水掻き部膜ａが設けられているので略円形型であり袋体1の外廻りが丸みを帯びた枠状態になるので、汚物が落ちる事無く簡単に裏返しができそのまま閉塞持ち手部となり、手の平挿入口部６を結び閉塞後、提げられ持ち運びができる。袋体１は柔軟性素材、ポリエステルシート厚さ０．０３ｍｍ・幅２６ｍｍ・長さ３８ｍｍ程度の袋体が好ましい。水掻き部略円形型ａ指部２の深さ５ｃｍ以上の長さで、横外方に張り出した張り出部ｂの所定長さの幅部は２ｃｍ以上で、曲線状持ち手部cは２ｃｍ以上幅とすることが好ましい。又、張り出部ｂの長さｄは、これに隣接して設けられている指部２（ここでは、親指用及び小指用の指部）の長さｆより長くなっている。さらに、水掻き部膜ａの外又、水掻き部膜ａの両端は、張り出部ｂの所で形成されている。そして張り出部ｂの外縁８の両端位置は、又水掻き部膜ａはその両端が張り出部ｂに連なるように形成されている。そして、水掻き部膜ａの外縁８の両端が張り出部ｂに連なるようになっている。できれば、曲線状持ち手ｃの付け根の位置ｅについて説明する。張り出部ｂと、手の平挿入口部６の間が良い。より好ましくは、張り出部ｂと手の平挿入口部６との間の中間位置よりも手の平挿入口部６寄りの位置ｅである。
【００１６】
又、汚物処理用手袋は、例えば、原料樹脂ポリエチレン又は、ポリプロピレン、ポリエステル、塩化ビニール、ナイロン材等の厚さが０．０１ｍｍ乃至０．１０ｍｍ程度の柔軟性素材である。手の挿脱をスムーズにできるエンボス加工を有すると共に見栄えのいい、ブルー・ピンク・イエロー・グリーン等の着色又は水玉・チェック・花等の模様等の柔軟性素材を二枚重ねにした上で図示したような手形に裁断し、指が挿入可能な指部の周縁部は加熱溶着して、袋体を得ることができる。但しこれに限定されるものではない。裏返し可能な柔軟性のあるシート材を手袋状に形成すると共に、各指挿入部付け根部から上部へ延設する水掻き部膜が、指先端部に対応させて外縁を構成し、幅広い手の平部は親指と小指部の指先端より更に横外方に張り出した張り出部を手の平挿入口部まで延設し、その袋体の手の平挿入口部近傍には、曲線状部把持用を設けたものであればよい。
【００１７】
なお、汚物処理用手袋の素材は特に限定するものではないが、裏返しが容易なように柔軟性に富む素材が適しており、又、焼却してもダイオキシン等の有害物質を発生することなく、或いは生分解性に富む環境に配慮した素材が好ましい。例えば、紙又は布等も含まれ、二つ折り又は二枚重ねて裁断され、指が挿入可能な指部の周縁部は接着剤又は縫い合わせる等で、袋体を形成する。さらに見栄えをよくするために着色又は模様等を採用し表面にポリマー・エチルアルコール・エタノール製剤等他の抗菌性又は、殺菌性を付与することによってより衛生的で見掛けの良い手袋とすることができる。
【００１８】
以下、上記手袋の使用例を説明する。図１、手の平挿入口部６から袋体１に右手が挿入し、各指を指部２に挿し入れ曲線状持ち手ｃを左手で持ち引っ張り手袋を装着する。このとき、指部と袋体全体が絞り各指先が自由に動くので排便ａを掴んで拾い上げ手の内側に至るように曲線状持ち手ｃを用いて裏返し、指部２から指を抜き出す。このとき曲線状持ち手ｃを持って袋体１を裏返すことにより、容易に裏返すことができ、袋体１収容することができる。
【００１９】
次に、図２で示すように、排便ａは袋体１に収容されている。このとき互いの曲線状持ち手ｃで手の平挿入口部６を結び合わせれば、閉塞が完全にできる。排便ａを収容保持し衛生的で見栄えもよく手に提げられ、そのまま持ち運びができ清潔に廃棄することができる。
【００２０】
又、本発明に係る汚物処理用手袋は、ペットの排便の処理だけでなく、老人、乳幼児、病人介護等、医療現場や食品加工工場で清潔な物や汚物の処理等、着色又は模様、サイズ、型、曲線状部把持用等の位置・形を変更したり、なお、水掻き部略円形の手袋のみ又、外部にも可能な曲線状部把持用の袋のみ又、横外方に張り出した張り出部の手袋等として広範囲な用途にも対応することができる。
【図面の簡単な説明】
【００２１】
【図１】本発明に係る汚物処理用手袋の状態を示す斜視図である。
【図２】汚物処理用手袋を裏返し、曲線状持ち手部で結び閉塞した状態を示す斜視図である。
【符号の説明】
【００２２】
１  袋体
２  指部
３  指付け根部
４  指先端部
５  幅広い手の平部
６ 手の平挿入口部
７  指部周縁型押し部
８  外縁
Ａ  排便
ａ  水掻き部膜 
ｂ  横外方に張り出した張り出部
ｃ  曲線状部持ち手
ｄ  張り出部ｂの長さ
ｅ  付け根の位置
ｆ  親指・小指用の指部の長さ
【要約】
【課題】従来の汚物の処理を簡便なものとすると共に、汚物を収容した袋の手の平挿入口部を簡単かつ確実に閉塞し、見栄えもよく手に提げられ、衛生的に処理できる汚物処理用手袋を提供する。
【解決手段】袋体に指部と幅広い手の平部を連設してなる柔軟性素材からなる汚物処理用手袋であって、指部２同士の間に各指挿入部付け根部３から上部へ延設する水掻き部ａを設け、水掻き部ａの外縁８を各指部２の指先端部４の位置又は、指先端部４の位置より更に外側に位置させ、幅広い手の平部５は、親指部２と小指部２の指先端部４より更に横外方に張り出した張り出部ｂを備えており、張り出部ｂとこれに隣接する指部２との間にも水掻き部ａを設け、手の平挿入口部６まで延設し、袋体の手の平挿入口部６近傍には一対の把持用ｃを設けて、結び閉塞持ち手部として用いるという手段を採用した。
【選択図】      図１【図１】
0004146503.tif 000002
【図２】
0004146503.tif 000003